【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
少なくとも５％のヒアルロン酸を含む組成物であって、前記ヒアルロン酸は、前記ヒアルロン酸の二糖繰り返し単位に対し少なくとも約１５モル％のブタンジオールジグリシジルエーテル（ＢＤＤＥ）誘導体で実質的に架橋されている、組成物。
【請求項２】
実質的に架橋されたヒアルロン酸が、約１５モル％から約２５モル％のＢＤＤＥ誘導体で架橋されている、請求項１に記載の組成物。
【請求項３】
実質的に架橋されたヒアルロン酸が、約１７モル％から約２０モル％のＢＤＤＥ誘導体で架橋されている、請求項１に記載の組成物。
【請求項４】
実質的に架橋されたヒアルロン酸が、ヒアルロン酸の重量に対し少なくとも約１２重量％のＢＤＤＥ誘導体で架橋されている、請求項１に記載の組成物。
【請求項５】
組成物が、約８％のヒアルロン酸を含む、請求項１に記載の組成物。
【請求項６】
組成物が、約１０％のヒアルロン酸を含む、請求項１に記載の組成物。
【請求項７】
組成物が、約１２％のヒアルロン酸を含む、請求項１に記載の組成物。
【請求項８】
ヒアルロン酸の分子量が約０．５ＭＤａから約３．０ＭＤａである、請求項１〜７のいずれか一項に記載の組成物。
【請求項９】
架橋ヒアルロン酸が、組成物全重量に基づき、約１重量％から約５０重量％の量で存在する、請求項１〜８のいずれか一項に記載の組成物。
【請求項１０】
架橋ヒアルロン酸が、組成物全重量に基づき、約５重量％から約２０重量％の量で存在する、請求項９に記載の組成物。
【請求項１１】
結合剤をさらに含む、請求項１〜１０のいずれか一項に記載の組成物。
【請求項１２】
結合剤が非架橋ヒアルロン酸である、請求項１１に記載の組成物。
【請求項１３】
非架橋ヒアルロン酸が、組成物全重量に基づき、約１重量％から約１５重量％の量で存在する、請求項１２に記載の組成物。
【請求項１４】
非架橋ヒアルロン酸が、組成物全重量に基づき、約２重量％から約８重量％の量で存在する、請求項１３に記載の組成物。
【請求項１５】
組成物が、約５重量％から約１５重量％の架橋ヒアルロン酸と、約２重量％から約８重量％の非架橋ヒアルロン酸を含む、請求項１２に記載の組成物。
【請求項１６】
請求項１〜１５のいずれか一項の組成物を含む、糸。
【請求項１７】
請求項１６の糸を乾燥する工程により調製される、糸。
【請求項１８】
ヒアルロン酸の二糖繰り返し単位に対し少なくとも約１５モル％のブタンジオールジグリシジルエーテル（ＢＤＤＥ）誘導体で実質的に架橋されている、実質的に架橋されたヒアルロン酸と、全ヒアルロン酸固形分に対し少なくとも約５％の非架橋ヒアルロン酸とを含む、糸。
【請求項１９】
実質的に架橋されたヒアルロン酸が、約１５モル％から約２５モル％のＢＤＤＥ誘導体で架橋されている、請求項１８に記載の糸。
【請求項２０】
実質的に架橋されたヒアルロン酸が、約１７モル％から約２０モル％のＢＤＤＥ誘導体で架橋されている、請求項１９に記載の糸。
【請求項２１】
実質的に架橋されたヒアルロン酸が、架橋ヒアルロン酸の重量に対し少なくとも約１８重量％のＢＤＤＥ誘導体で架橋されている、請求項２０に記載の糸。
【請求項２２】
架橋ヒアルロン酸が、水分を除いた糸の全重量に基づき、約６０重量％から約９０重量％の量で存在する、請求項１８〜２１のいずれか一項に記載の糸。
【請求項２３】
架橋ヒアルロン酸が、水分を除いた糸の全重量に基づき、約７０重量％から約８０重量％の量で存在する、請求項２２に記載の糸。
【請求項２４】
非架橋ヒアルロン酸が、水分を除いた糸の全重量に基づき、約１０重量％から約４０重量％の量で存在する、請求項１８に記載の糸。
【請求項２５】
非架橋ヒアルロン酸が、水分を除いた糸の全重量に基づき、約１５重量％から約２５重量％の量で存在する、請求項２４に記載の糸。
【請求項２６】
糸が約２ｋｐｓｉから約２０ｋｐｓｉの極限引っ張り強さを有する、請求項１６〜２５のいずれか一項に記載の糸。
【請求項２７】
糸が約４ｋｐｓｉから約１０ｋｐｓｉの極限引っ張り強さを有する、請求項２６に記載の糸。
【請求項２８】
糸が少なくとも約０．００４インチの直径を有する、請求項１６〜２７のいずれか一項に記載の糸。
【請求項２９】
糸が約０．０１１インチから約０．０１６インチの直径を有する、請求項２８に記載の糸。
【請求項３０】
糸が約１．５から約３．５ｍｇ／インチの重量／長さ比を有する、請求項１６〜２９のいずれか一項に記載の糸。
【請求項３１】
糸が約０．３ポンド以上の破壊荷重を有する、請求項１６〜３０のいずれか一項に記載の糸。
【請求項３２】
糸が約０．３から約１．３ポンドの破壊荷重を有する、請求項３１に記載の糸。
【請求項３３】
糸に取り付けられた針をさらに含む、請求項１６〜３２のいずれか一項に記載の組成物。
【請求項３４】
（ａ）少なくとも５％のヒアルロン酸を含む組成物をブタンジオールジグリシジルエーテル（ＢＤＤＥ）と接触させて実質的に架橋されたヒアルロン酸組成物を形成するステップであって、その結果として前記ヒアルロン酸が、前記ヒアルロン酸の二糖繰り返し単位に対し少なくとも約１５モル％のブタンジオールジグリシジルエーテル（ＢＤＤＥ）誘導体で実質的に架橋されている、ステップ；
（ｂ）非架橋ヒアルロン酸を前記組成物に添加するステップ；
（ｃ）実質的に架橋された組成物を押し出して湿潤糸を作成するステップ；および
（ｄ）湿潤糸を乾燥させて乾燥糸を形成するステップ、により調製された実質的に架橋されたヒアルロン酸を含む、乾燥糸。
【請求項３５】
組成物の重量に対して、約５から約１５重量％のヒアルロン酸を、約２から約８重量％のＢＤＤＥと接触させる、請求項３４に記載の乾燥糸。
【請求項３６】
ヒアルロン酸を、ヒアルロン酸の重量に対し約４０重量％のＢＤＤＥと接触させる、請求項３４または３５のいずれか一項に記載の乾燥糸。
【請求項３７】
架橋ヒアルロン酸が、約１５から約２５モル％のＢＤＤＥ誘導体で架橋されている、請求項３６に記載の乾燥糸。
【請求項３８】
架橋ヒアルロン酸が、約１７から約２０モル％のＢＤＤＥ誘導体で架橋されている、請求項３７に記載の乾燥糸。
【請求項３９】
架橋ヒアルロン酸が、架橋ヒアルロン酸の重量に対し少なくとも約１２重量％のＢＤＤＥ誘導体で架橋されている、請求項３４に記載の乾燥糸。
【請求項４０】
組成物の重量に対して、少なくとも８％のヒアルロン酸を、ＢＤＤＥと接触させる、請求項３４から３９のいずれか一項に記載の乾燥糸。
【請求項４１】
組成物の重量に対して、約１０％のヒアルロン酸をＢＤＤＥと接触させる、請求項４０に記載の乾燥糸。
【請求項４２】
組成物の重量に対して、約１２％のヒアルロン酸をＢＤＤＥと接触させる、請求項４０に記載の乾燥糸。
【請求項４３】
ヒアルロン酸が水溶液である、請求項３４〜４２のいずれか一項に記載の乾燥糸。
【請求項４４】
溶液がｐＨ＞７．０を有する、請求項４３に記載の乾燥糸。
【請求項４５】
溶液が水酸化ナトリウムを有する、請求項４４に記載の乾燥糸。
【請求項４６】
ステップ（ａ）の架橋ヒアルロン酸組成物が洗浄される、請求項３４に記載の乾燥糸。
【請求項４７】
ステップ（ａ）の組成物が、組成物全重量に基づき、約１重量％から約５０重量％の量で架橋ヒアルロン酸を含む、請求項３４に記載の乾燥糸。
【請求項４８】
ステップ（ａ）の組成物が、組成物全重量に基づき、約５重量％から約２０重量％の量で架橋ヒアルロン酸を含む、請求項４７に記載の乾燥糸。
【請求項４９】
ステップ（ａ）の組成物を乾燥させることをさらに含む、請求項４３〜４８のいずれか一項に記載の乾燥糸。
【請求項５０】
組成物全重量に基づき、約１重量％から約１５重量％の非架橋ヒアルロン酸が添加される、請求項３４〜４９のいずれか一項に記載の乾燥糸。
【請求項５１】
組成物全重量に基づき、約２重量％から約８重量％の非架橋ヒアルロン酸が添加される、請求項５０に記載の乾燥糸。
【請求項５２】
乾燥糸が約２ｋｐｓｉから約２０ｋｐｓｉの極限引っ張り強さを有する、請求項３４〜５１のいずれか一項に記載の乾燥糸。
【請求項５３】
乾燥糸が約２０ｋｐｓｉ以上の極限引っ張り強さを有する、請求項５２に記載の乾燥糸。
【請求項５４】
乾燥糸が約０．３ポンド以上の破壊荷重を有する、請求項３４〜５３のいずれか一項に記載の乾燥糸。
【請求項５５】
糸が約０．３から約１．３ポンドの破壊荷重を有する、請求項５４に記載の乾燥糸。
【請求項５６】
糸が最終滅菌されている、請求項１６〜５５のいずれか一項に記載の糸。
【請求項５７】
皺の治療を必要とする患者における皺の治療に用いるための請求項１６〜５６のいずれか一項に記載の糸であって、
前記治療が、
（ａ）請求項１６〜５６のいずれか一項に記載の糸を前記患者の前記皺に隣接するまたは前記皺の下の皮膚または皮下スペースに挿入すること；および
（ｂ）前記糸を前記皺に隣接してまたは前記皺の下に適用することで前記皺を治療すること
を含むものである、請求項１６〜５６のいずれか一項に記載の糸。
【請求項５８】
ステップ（ａ）と（ｂ）が２〜６回実施される前記治療に用いるための、請求項５７に記載の糸。
【請求項５９】
糸が針により挿入される前記治療に用いるための、請求項５７に記載の糸。
【請求項６０】
針を皮膚から取り出すことをさらに含む前記治療に用いるための、請求項５９に記載の糸。
【請求項６１】
糸を水和させることをさらに含む前記治療に用いるための、請求項５７に記載の糸。
【請求項６２】
ステップ（ａ）の前に糸に潤滑性増強剤が塗布される前記治療に用いるための、請求項５７に記載の糸。
【請求項６３】
患者の皺治療に使用される構成要素のキットであって、請求項１６〜５６のいずれか一項に記載の糸を含む、キット。
【請求項６４】
糸を患者に送達するための手段をさらに含む、請求項６３に記載のキット。
【請求項６５】
顔の輪郭形成を施すことを必要とする患者における顔の輪郭形成に用いるための請求項１６〜５６のいずれか一項に記載の糸であって、
前記顔の輪郭形成が、
（ａ）請求項１６〜５６のいずれか一項の糸を前記患者の治療箇所に隣接するかまたは治療箇所の下の皮膚または皮下スペースに挿入すること；および
（ｂ）前記糸を前記治療箇所に隣接してまたは前記治療箇所の下に適用することで顔の輪郭形成を施すこと
を含むものである、請求項１６〜５６のいずれか一項に記載の糸。
【請求項６６】
治療箇所が口唇、鼻唇溝および眼頬溝から選択される前記顔の輪郭形成に用いるための、請求項６５に記載の糸。
【請求項６７】
ステップ（ａ）と（ｂ）が２〜６回実施される前記顔の輪郭形成に用いるための、請求項６５に記載の糸。
【請求項６８】
糸が針により挿入される前記顔の輪郭形成に用いるための、請求項６５に記載の糸。
【請求項６９】
針を皮膚から取り出すことをさらに含む前記顔の輪郭形成に用いるための、請求項６８に記載の糸。
【請求項７０】
糸を水和させることをさらに含む前記顔の輪郭形成に用いるための、請求項６５に記載の糸。
【請求項７１】
各糸が表皮、真皮または皮下層に埋め込まれ得る前記顔の輪郭形成に用いるための、請求項６７に記載の糸。
【請求項７２】
糸が互いに対し相対的に平行に埋め込まれる前記顔の輪郭形成に用いるための、請求項６７に記載の糸。
【請求項７３】
糸が互いに対し相対的に直交して埋め込まれる前記顔の輪郭形成に用いるための、請求項６７に記載の糸。
【請求項７４】
糸が網目模様に配置されている前記顔の輪郭形成に用いるための、請求項６７に記載の糸。
【請求項７５】
糸が綾目模様に配置されている前記顔の輪郭形成に用いるための、請求項６７に記載の糸。
【請求項７６】
請求項１６〜５６のいずれか一項に記載の糸と、針を含む、構成要素のキット。